(57)【要約】
【課題】ビデオカセットレコーダにおいて、モードレバーのカム溝にモードレバーのスライド方向に略直交する区間を設け、動作モードの移行をすばやく行えるようにする。
【解決手段】ブレーキ制御レバー９は、モードレバー１０から離れる方向に弾性変形可能な樹脂ばね部２６と、その先端に設けられた第２のボス２５を有する。モードレバー１０は、テープローディングモードからＦＦ／ＲＥＷモードに切り替えられるときに第１のボス２２がコイルばねの付勢力に抗して第１の経路３１に進入するように第２のボス２５をガイドするガイド壁５１と、停止モードからアンローディングモードに切り替えられた後に第２のボス２５が通過する斜面部５０とを有する。第２のボス２５は、斜面部５０を通過する際に樹脂ばね部２６の弾性変形により退避されてガイド壁５１を乗り越え、第１のボス２２が第２の経路３２に導かれる。
【選択図】図４
0003099950.tif 000002
【実用新案登録請求の範囲】
【請求項１】
　シャーシに回転自在に軸支され、所定の方向に回転することにより、供給側及び巻取り側のリール台にブレーキをかける供給側及び巻取り側のブレーキレバーと、
　この供給側及び巻取り側のブレーキレバーを各リール台にブレーキをかける方向に付勢する付勢手段と、
　駆動力を受ける第１のボスを有し、シャーシに沿って往復移動することにより供給側及び巻取り側のブレーキレバーと当接し、各ブレーキレバーを前記付勢手段の付勢力に抗して回転駆動して、各リール台のブレーキを制御する合成樹脂から成るブレーキ制御レバーと、
　このブレーキ制御レバーと一部が対向するように配置され、入力された駆動力の向きを変換して前記第１のボスに伝達するためのカム溝を有し、シャーシに沿って該ブレーキ制御レバーの移動方向と略直交する方向に往復移動することによりビデオカセットレコーダの動作モードを切り替えるモードレバーとを備えたビデオカセットレコーダにおいて、
　前記カム溝は、ビデオカセットレコーダの動作モードがテープローディングモードからＦＦ／ＲＥＷ（早送り／巻戻し）モードを経て停止モードに切り替えられるときに前記第１のボスをガイドする第１の経路（往路）と、ビデオカセットレコーダの動作モードが停止モードからテープアンローディングモードに切り替えられるときに前記第１のボスを迂回させるようにガイドする第２の経路（復路）と、ビデオカセットレコーダの動作モードがテープローディングモードからＦＦ／ＲＥＷモードに切り替えられるときに前記第１の経路と第２の経路が分岐する第１の分岐点と、ビデオカセットレコーダの動作モードが停止モードからテープアンローディングモードに切り替えられるときに前記第１の経路と第２の経路が分岐する第２の分岐点とを有し、
　前記ブレーキ制御レバーは、その先端が前記モードレバーから離れる方向に移動するように弾性変形可能な樹脂ばね部と、この樹脂ばね部の先端に設けられた第２のボスとを有し、前記供給側及び巻取り側のブレーキレバーを介して前記付勢手段によって、前記第１のボスが前記第２の経路に導かれる方向に付勢され、
　前記第１の経路は、ビデオカセットレコーダの動作モードがＦＦ／ＲＥＷモードから停止モードに切り替えられるときに前記第１のボスを前記モードレバーの移動方向に略直交する方向にガイドする直交ガイド区間を有し、
　前記モードレバーは、ビデオカセットレコーダの動作モードがテープローディングモードからＦＦ／ＲＥＷモードに切り替えられるときに前記第１のボスが前記付勢手段の付勢力に抗して前記第１の経路に進入するように前記第２のボスをガイドするガイド壁と、ビデオカセットレコーダの動作モードが停止モードからテープアンローディングモードに切り替えられた後に第２のボスが通過する斜面部とを有し、
　前記第２のボスが前記斜面部を通過する際、前記樹脂ばね部が徐々に弾性変形され、これにより、前記第２のボスが退避されて前記ガイド壁を乗り越え、前記第１のボスが前記第２の経路に導かれることを特徴とするビデオカセットレコーダ。
【請求項２】
　駆動力を受ける第１のボスを有し、レバー部材が連結され、シャーシに沿って往復移動することにより該レバー部材に駆動力を伝達する駆動伝達レバーと、
　この駆動伝達レバーを所定の方向に付勢する付勢手段と、
　前記駆動伝達レバーと一部が対向するように配置され、入力された駆動力の向きを変換して前記第１のボスに伝達するためのカム溝を有し、シャーシに沿って該駆動伝達レバーの移動方向と略直交する方向に往復移動することによりビデオカセットレコーダの動作モードを切り替えるモードレバーとを備えたビデオカセットレコーダにおいて、
　前記カム溝は、ビデオカセットレコーダの動作モードが第1のモードから第２のモードに切り替えられるときに前記第１のボスをガイドする第１の経路（往路）と、ビデオカセットレコーダの動作モードが前記第２のモードから前記第1のモードに切り替えられるときに前記第１のボスを迂回させるようにガイドする第２の経路（復路）と、ビデオカセットレコーダの動作モードが前記第1のモードから前記第２のモードに切り替えられるときに前記第１の経路と第２の経路が分岐する第１の分岐点と、ビデオカセットレコーダの動作モードが前記第２のモードから前記第1のモードに切り替えられるときに前記第１の経路と第２の経路が分岐する第２の分岐点とを有し、
　前記駆動伝達レバーは、その先端が前記モードレバーから離れる方向に移動するように弾性変形可能なばね部と、このばね部の先端に設けられた第２のボスとを有し、前記付勢手段によって前記第１のボスが前記第２の経路に導かれる方向に付勢され、
　前記モードレバーは、ビデオカセットレコーダの動作モードが前記第１のモードから前記第２のモードに切り替えられるとき、前記第１のボスが前記付勢手段の付勢力に抗して前記第１の経路に進入するように前記第２のボスをガイドするガイド壁と、ビデオカセットレコーダの動作モードが前記第２のモードから前記第１のモードに切り替えられた後に該第２のボスが通過する斜面部とを有し、
　前記第２のボスが前記斜面部を通過する際、前記樹脂ばね部が徐々に弾性変形され、これにより、前記第２のボスが退避されて前記ガイド壁を乗り越え、前記第１のボスが前記第２の経路に導かれることを特徴とするビデオカセットレコーダ。
【請求項３】
　前記第１の経路は、前記第１のボスを前記モードレバーの移動方向に略直交する方向にガイドする直交ガイド区間を有することを特徴とする請求項２に記載のビデオカセットレコーダ。
【考案の詳細な説明】
【技術分野】
【０００１】
　本考案は、磁気テープに映像／音声等の情報を記録するビデオカセットレコーダに関するものである。
【背景技術】
【０００２】
　ビデオカセットレコーダにおいては、一般に、シャーシに沿って往復自在に配設されているモードレバーの移動によって、その動作モードが切り替え制御されている。ビデオカセットレコーダの動作モードには、テープローディングモード、ＦＦ／ＲＥＷ（早送り／巻戻し）モード、停止モード、再生モード、スロー再生モード、及び、アンローディングモード等があり、モードレバーには、これらの動作モードを切り替えて、各部材を駆動するためのラック及びカム溝が設けられている。
【０００３】
　例えば、ビデオカセットレコーダにテープカセットが装填されたとき、モードレバーは、第１の方向にスライド駆動されてテープローディングモード位置からＦＦ／ＲＥＷモード位置を経て停止モード位置に移動される。モードレバーは、この停止モード位置から第１の方向に引き続いてスライド駆動されると再生モード位置、スロー再生モード位置に順次移動され、第１の方向とは反対の第２の方向に駆動されるとＦＦ／ＲＥＷモード位置又はアンローディングモード位置に移動される。モードレバーに設けられたカム溝には、リール台のブレーキを制御するブレーキ制御レバーのボスが連結されている。ブレーキ制御レバーはコイルばねによってモードレバーの移動方向と略直交する方向に付勢されている。モードレバーに入力された駆動力は、カム溝によってその方向が略９０゜変換されてブレーキ制御レバーに伝達され、ブレーキ制御レバーは、モードレバーの移動方向とは略直交する方向にスライド駆動され、動作モードに応じてリール台のブレーキを制御する。このように、モードレバーをスライド駆動することにより、ビデオカセットレコーダの動作モードが切り替えられる。
【０００４】
　ところで、近年のビデオカセットレコーダでは、磁気テープのＦＦ／ＲＥＷ（早送り／巻戻し）を短時間に行えるように、ＦＦ／ＲＥＷ時に巻取り側／供給側のリールを高速で回転駆動するように構成されている。このようなビデオカセットレコーダにおいては、ＦＦ／ＲＥＷモードからユーザによって停止ボタンが押下されたとき、ユーザ所望の位置で停止させるために、停止モードへの移行を迅速に行う必要がある。また、磁気テープが巻き始め／巻終わりまで巻き取られてカセットテープのリーダ部を検出したとき、ブレーキ動作が遅れるとリーダテープ部が出過ぎた状態で停止することになり、テープに損傷を及ぼしたり、ビデオカセットレコーダの機構・走行系にダメージを与えたりすることがある。このような弊害を防止するためにも、停止モードへの移行をすばやく行う必要がある。
【０００５】
　ＦＦ／ＲＥＷモードから停止モードへの移行を速めるためには、種々の手法が提案されている。一例を挙げれば、ＦＦ／ＲＥＷ状態から停止モードに移行する際にボスをモードレバーの移動方向に略直交する方向にガイドして、ブレーキ制御レバーをブレーキ解除位置から最大制動位置に移動させる制動区間（直交ガイド区間）をモードレバーのカム溝に設けることにより、モードレバーの僅かな移動に起因させてブレーキ制御レバーをブレーキ解除位置から最大制動位置に移動し得るように構成したビデオカセットレコーダが検討されている。
【０００６】
　また、このようなビデオカセットレコーダとは別に、単一のブレーキシューでソフトブレーキ及びメインブレーキの制動力をリール台のドラムに加え得るように構成されたビデオカセットレコーダのブレーキ機構が知られている（例えば、特許文献１参照）。
【特許文献１】特開平６−６８５５０号公報
【考案の開示】
【考案が解決しようとする課題】
【０００７】
　しかしながら、上述した従来から検討されているビデオカセットレコーダのように、カム溝の制動区間をモードレバーのスライド方向に略直交するように設けた場合、モードレバーが停止位置からアンローディングモード位置に駆動されるとき、ボスがコイルばねの付勢力に抗して傾斜が急なカム溝の制動区間を逆行することができない。従って、カム溝の制動区間をモードレバーのスライド方向に対して所定の角度で緩やかに形成しなければならないので、ＦＦ／ＲＥＷモードから停止モードへの移行をすばやく行うことが困難となる。
【０００８】
　上記特許文献１に示されたブレーキ機構を用いても、上述した課題を解決することができない。
【０００９】
　本考案は、上記課題を解決するためになされたものであり、モードレバーのカム溝にモードレバーのスライド方向に略直交する区間を設けることができるように、２系統の経路を切り替えて用いることにより、動作モードの移行をすばやく行えるようにしたビデオカセットレコーダを提供することを目的とする。
【課題を解決するための手段】
【００１０】
　上記目的を達成するために請求項１の考案は、シャーシに回転自在に軸支され、所定の方向に回転することにより、供給側及び巻取り側のリール台にブレーキをかける供給側及び巻取り側のブレーキレバーと、この供給側及び巻取り側のブレーキレバーを各リール台にブレーキをかける方向に付勢する付勢手段と、駆動力を受ける第１のボスを有し、シャーシに沿って往復移動することにより供給側及び巻取り側のブレーキレバーと当接し、各ブレーキレバーを付勢手段の付勢力に抗して回転駆動して、各リール台のブレーキを制御する合成樹脂から成るブレーキ制御レバーと、このブレーキ制御レバーと一部が対向するように配置され、入力された駆動力の向きを変換して第１のボスに伝達するためのカム溝を有し、シャーシに沿って該ブレーキ制御レバーの移動方向と略直交する方向に往復移動することによりビデオカセットレコーダの動作モードを切り替えるモードレバーとを備えたビデオカセットレコーダにおいて、カム溝は、ビデオカセットレコーダの動作モードがテープローディングモードからＦＦ／ＲＥＷ（早送り／巻戻し）モードを経て停止モードに切り替えられるときに第１のボスをガイドする第１の経路（往路）と、ビデオカセットレコーダの動作モードが停止モードからテープアンローディングモードに切り替えられるときに第１のボスを迂回させるようにガイドする第２の経路（復路）と、ビデオカセットレコーダの動作モードがテープローディングモードからＦＦ／ＲＥＷモードに切り替えられるときに第１の経路と第２の経路が分岐する第１の分岐点と、ビデオカセットレコーダの動作モードが停止モードからテープアンローディングモードに切り替えられるときに第１の経路と第２の経路が分岐する第２の分岐点とを有し、ブレーキ制御レバーは、その先端がモードレバーから離れる方向に移動するように弾性変形可能な樹脂ばね部と、この樹脂ばね部の先端に設けられた第２のボスとを有し、供給側及び巻取り側のブレーキレバーを介して付勢手段によって、第１のボスが第２の経路に導かれる方向に付勢され、第１の経路は、ビデオカセットレコーダの動作モードがＦＦ／ＲＥＷモードから停止モードに切り替えられるときに第１のボスをモードレバーの移動方向に略直交する方向にガイドする直交ガイド区間を有し、モードレバーは、ビデオカセットレコーダの動作モードがテープローディングモードからＦＦ／ＲＥＷモードに切り替えられるときに第１のボスが付勢手段の付勢力に抗して第１の経路に進入するように第２のボスをガイドするガイド壁と、ビデオカセットレコーダの動作モードが停止モードからテープアンローディングモードに切り替えられた後に第２のボスが通過する斜面部とを有し、第２のボスが斜面部を通過する際、樹脂ばね部が徐々に弾性変形され、これにより、第２のボスが退避されてガイド壁を乗り越え、第１のボスが第２の経路に導かれるものである。
【００１１】
　請求項２の考案は、駆動力を受ける第１のボスを有し、レバー部材が連結され、シャーシに沿って往復移動することにより該レバー部材に駆動力を伝達する駆動伝達レバーと、
　この駆動伝達レバーを所定の方向に付勢する付勢手段と、駆動伝達レバーと一部が対向するように配置され、入力された駆動力の向きを変換して第１のボスに伝達するためのカム溝を有し、シャーシに沿って該駆動伝達レバーの移動方向と略直交する方向に往復移動することによりビデオカセットレコーダの動作モードを切り替えるモードレバーとを備えたビデオカセットレコーダにおいて、カム溝は、ビデオカセットレコーダの動作モードが第１のモードから第２のモードに切り替えられるときに第１のボスをガイドする第１の経路（往路）と、ビデオカセットレコーダの動作モードが第２のモードから第１のモードに切り替えられるときに第１のボスを迂回させるようにガイドする第２の経路（復路）と、ビデオカセットレコーダの動作モードが第１のモードから第２のモードに切り替えられるときに第１の経路と第２の経路が分岐する第１の分岐点と、ビデオカセットレコーダの動作モードが第２のモードから第１のモードに切り替えられるときに第１の経路と第２の経路が分岐する第２の分岐点とを有し、駆動伝達レバーは、その先端がモードレバーから離れる方向に移動するように弾性変形可能なばね部と、このばね部の先端に設けられた第２のボスとを有し、付勢手段によって第１のボスが第２の経路に導かれる方向に付勢され、モードレバーは、ビデオカセットレコーダの動作モードが第１のモードから第２のモードに切り替えられるとき、第１のボスが付勢手段の付勢力に抗して第１の経路に進入するように第２のボスをガイドするガイド壁と、ビデオカセットレコーダの動作モードが第２のモードから第１のモードに切り替えられた後に該第２のボスが通過する斜面部とを有し、第２のボスが斜面部を通過する際、樹脂ばね部が徐々に弾性変形され、これにより、第２のボスが退避されてガイド壁を乗り越え、第１のボスが第２の経路に導かれるものである。
【００１２】
　請求項３の考案は、請求項２に記載のビデオカセットレコーダにおいて、第１の経路は、第１のボスをモードレバーの移動方向に略直交する方向にガイドする直交ガイド区間を有するものである。
【考案の効果】
【００１３】
　請求項１の考案によれば、モードレバーのカム溝は、ビデオカセットレコーダの動作モードが停止モードからテープアンローディングモードに切り替えられた後に、ブレーキ制御レバーが付勢手段に付勢されて第１のボスが第２の経路に進入すると共に、第２のボスが斜面部を通過する際に樹脂ばね部が弾性変形することによりガイド壁を乗り越えて通過するので、第１のボスを第２の経路を経由してテープアンローディングモード位置に復帰させることができる。これにより、第１の経路にモードレバーのスライド方向に略直交する直交ガイド区間を設けることが可能となり、ＦＦ／ＲＥＷモードから停止モードへの移行をすばやく行い、もって各リール台を瞬時に制動することができるようになる。また、ビデオカセットレコーダの動作モードがテープローディングモードからＦＦ／ＲＥＷモードに切り替えられた後に第１のボスが第１の分岐点に到達したとき、第２のボスがガイド壁にガイドされ、第１のボスの第２の経路への進入が規制されるので、円滑にＦＦ／ＲＥＷモードに移行することができる。
【００１４】
　請求項２の考案によれば、モードレバーのカム溝は、ビデオカセットレコーダの動作モードが第２のモードから第１のモードに切り替えられた後に、駆動伝達レバーが付勢手段に付勢されて第１のボスが第２の経路に進入すると共に、第２のボスが斜面部を通過する際にばね部が弾性変形することにより、第２のボスがガイド壁を乗り越えて通過するので、第１のボスを第２の経路を経由して第１のモード位置に復帰させることができる。また、ビデオカセットレコーダの動作モードが第１のモードから第２のモードに切り替えられた後に第１のボスが第１の分岐点に到達したとき、第２のボスがガイド壁にガイドされ、第１のボスの第２の経路への進入が規制されるので、円滑に第２のモードに移行することができる。
【００１５】
　請求項３の考案によれば、第１の経路に設けた直交ガイド区間によって駆動伝達レバーを速やかに駆動することができるので、動作モードの移行をすばやく行えるようになる。
【考案を実施するための最良の形態】
【００１６】
　本考案を実施するための最良の形態について図面を参照して説明する。本考案の一実施の形態による磁気テープを用いた記録再生装置（ビデオカセットレコーダ）の構成を図１及び図２に示す。図１はシャーシＣの上側（テープカセットが装着される側）の構成を示す正面図であり、図２はシャーシＣの下側の構成を示す背面図である。また、図３は本実施形態のブレーキ機構の主要部の構成を示した背面図である。
【００１７】
　ビデオカセットレコーダ１は、磁気テープを走行させるための駆動力を発生させるキャプスタンモータ２と、ビデオカセットの供給側及び巻取り側のリールを回転駆動するための供給側リール台３及び巻取り側リール台４と、キャプスタンモータ２の駆動力を供給側リール台３又は巻取り側リール台４のいずれかに選択的に伝達する２つの遊星ギア５と、磁気テープ上のビデオ信号トラックからビデオ信号を読み出すためのビデオヘッドを内蔵したヘッドシリンダ６と、供給側リール台３及び巻取り側リール台４にブレーキをかける供給側ブレーキレバー７及び巻取り側ブレーキレバー８と、供給側ブレーキレバー７及び巻取り側ブレーキレバー８を回転駆動して、巻取り側リール台３及び供給側リール台４のブレーキを制御するブレーキ制御レバー９と、シャーシＣに沿ってスライド移動することにより、ビデオカセットレコーダ１の動作モードを切り替えるモードレバー１０と、モードレバー１０に駆動力を入力するモードレバー駆動ギア１１と、モードレバー駆動ギア１１を駆動するための駆動機構１２等によって構成されている。
【００１８】
　巻取り側リール台４の円筒状部分には、その外周面に沿うようにバンドブレーキ１５が設けられており、バンドブレーキ１５の一端はシャーシＣに固定されている。また、巻取り側リール台４の近傍には、巻取り側ブレーキレバー８がシャーシＣに回転自在に軸支されており、その一端がバンドブレーキ１５の他端に係合されている。すなわち、バンドブレーキ１５は、巻取り側ブレーキレバー８の回転位置に応じて、巻取り側リール台４の円筒状部分に接触することにより、巻取り側リール台４の回転にブレーキをかける。また、供給側リール台３の近傍には、供給側ブレーキレバー７がシャーシＣに回転自在に軸支されている。供給側ブレーキレバー７の一端には、供給側リール台３の円筒面に当接してブレーキをかけるためのブレーキシュー１６（図３参照）が設けられている。これらは、シャーシＣの上側に設けられている。
【００１９】
　一方、図２に示すように、シャーシＣの下側には、ビデオカセットレコーダ１における記録モード、再生モード、早送りモード、巻戻しモード及び各モードの停止を含む複数の動作モードに応じてその位置を変位させるモードレバー１０が、リール台３及び４の配列方向と略平行に摺動可能にシャーシＣに保持されている。モードレバー１０には、複数のカム溝やラックが形成されている。ラック１７には、モードレバー１０を変位させるためのモードレバー駆動ギア１１が噛合されており、モードレバー駆動ギア１１の回転に応じてモードレバー１０が矢印Ｘ方向に往復駆動される。モードレバー駆動ギア１１と噛合されるギア部品３５、ギア部品３６、ウォーム３７、プーリ３８、ベルト３９、プーリ４０及びローディングモータ４１により駆動機構１２が構成される。すなわち、ローディングモータ４１の駆動力は、プーリ４０、ベルト３９、プーリ３８、ウォーム３７、ギア部品３６、ギア部品３５、モードレバー駆動ギア１１を順次介してモードレバー１０に伝達され、モードレバー１０がスライド駆動される。
【００２０】
　巻取り側ブレーキレバー８の回転軸と供給側ブレーキレバー７の回転軸の間には、モードレバー１０の変位方向に対して略直交する方向に変位されるブレーキ制御レバー９が設けられている。モードレバー１０には、ブレーキ制御レバー９を変位させるためのカム溝２１が設けられており、ブレーキ制御レバー９に設けられた第１のボス２２がカム溝２１上を摺動するように、引っ張りコイルばね２３により付勢されている。カム溝２１は、ラック１７を介してモードレバー１０に入力された駆動力の向きを変換して、ブレーキ制御レバー９の第１のボス２２に伝達し、ビデオカセットレコーダ１の各モードに応じてブレーキ制御レバー９が所定の位置をとりうるように、所定の形状に形成されている。カム溝２１の形状については後述する。
【００２１】
　上記巻取り側ブレーキレバー８及び供給側ブレーキレバー７のそれぞれの一端には、シャーシＣに設けられた溝又は開口部を貫通するようにピン８ａ及び７ａが植設されており（図３参照）、ピン８ａ及び７ａがそれぞれブレーキ制御レバー９に連結されている。そのため、巻取り側ブレーキレバー８及び供給側ブレーキレバー７は、ブレーキ制御レバー９の動きに応じて所定方向に回転駆動され、それに伴って、巻取り側リール台４及び供給側リール台３に対してブレーキ操作が行われる。なお、上記引っ張りコイルばね２３は、巻取り側ブレーキレバー８と供給側ブレーキレバー７とに係合され、巻取り側ブレーキレバー８及び供給側ブレーキレバー７を互いに逆方向に回転させるための回転力を付勢すると共に、ブレーキ制御レバー９をモードレバー１０のカム溝２１に常時当接させるための付勢力を発生させる。
【００２２】
　図４は、ブレーキ制御レバー９及びモードレバー１０のカム溝２１を示している。ブレーキ制御レバー９は、合成樹脂によって成形され、カム溝２１と係合される第１のボス２２と、ガイド壁によってガイドされる第２のボス２５とを有している。第２のボス２５は第１のボス２２の近傍に設けられた樹脂ばね部２６の先端にモードレバー１０に向って立設されている。樹脂ばね部２６はその周縁部に設けられたＵ字状の溝２７によってブレーキ制御レバー９の本体部分に対して、第２のボス２５がモードレバー１０から離れる方向に移動するように、弾性変形可能とされる（図９参照）。
【００２３】
　モードレバー１０に設けられたカム溝２１は、第１の経路３１、第２の経路３２及び第３の経路３３によって構成される。第１の経路３１は、テープカセットが装填され、第１のボス２２が初期位置Ａからテープローディングモード位置Ｂ、ＦＦ／ＲＥＷモード位置Ｃを経て停止モード位置Ｄに至る経路である。第２の経路３２は、第１のボス２２が停止モード位置Ｄからテープアンローディングモード位置Ｅ（テープローディングモード位置Ｂ）を経て初期位置Ａに戻る経路である。また、第３の経路３３は、第１のボス２２が停止モード位置Ｄから再生モード位置Ｅ、スロー再生モード位置Ｆを経てレビューモード位置Ｇに至る経路である。第１の経路３１と第２の経路３２とは、初期位置Ａからテープローディングモード位置Ｂを経て第１の分岐点Ｊに至るまで同一の経路とされ、第１の分岐点Ｊにおいて２手に分岐され、停止モード位置Ｄにおいて合流される。この停止モード位置Ｄを第２の分岐点Ｋとする。
【００２４】
　また、ＦＦ／ＲＥＷモード位置Ｃから停止モード位置Ｄに至る区間には、モードレバー１０の移動方向Ｘに略直交する直交ガイド区間３４が形成されている。ここで、ブレーキ制御レバー９は引っ張りコイルばね２３によって（図３参照）付勢されているので、上記のように形成された直交ガイド区間３４によって、第１のボス２２のＦＦ／ＲＥＷモード位置Ｃから停止モード位置Ｄへの移動は、モードレバー１０の矢印Ｘ方向への僅かな移動をきっかけとして瞬時に行うことができ、各リール台３，４にすばやくブレーキをかけることができる。
【００２５】
　カム溝２１の停止モード位置Ｄの近傍には、第２のボス２５が通過する斜面部５０が第２の経路３２に沿って形成されており、斜面部５０の終端には、テープローディングモードからＦＦ／ＲＷモードに移行する際に、第２のボス２５をガイドするためのガイド壁５１が形成されている。
【００２６】
　次に、テープカセット装填前からＦＦ／ＲＥＷモードに至るモードレバー１０及びブレーキ制御レバー９の動作について図５乃至図７を参照して説明する。この動作モードの移行においては、モードレバー１０は、矢印Ｘ１方向にスライド駆動され、第１のボス２２は第１の経路３１を走行する。図５において、（ａ）はテープカセット装填前の状態を示している。このとき、第１のボス２２はカム溝２１の初期位置Ａに位置されている。テープカセットが装填されると、（ｂ）に示されるように、モードレバー１０が矢印Ｘ１方向にスライド移動され、第１のボス２２はテープローディングモード位置Ｂを通過する。さらにモードレバー１０が矢印Ｘ１方向にスライド移動されると、（ｃ）に示されるように、第１のボス２２が第１の分岐点Ｊに到達すると共に、第２のボス２５がガイド壁５１と当接する。このときのＳ−Ｓ線断面図を図６に示す。さらにモードレバー１０が矢印Ｘ１方向にスライド移動されると、図７（ｄ）に示されるように、第２のボス２５がガイド壁５１にガイドされ、ブレーキ制御レバー９が矢印Ｙ１方向にスライド駆動される。これに伴い、第１のボス２２が第１の経路３１に進入する。以後は、（ｅ）に示されるように、第１のボス２２が第１の経路３１にガイドされ、ブレーキ制御レバー９が矢印Ｙ１方向にスライド駆動され、ＦＦ／ＲＥＷモード位置Ｃに至る。
【００２７】
　また、停止モードからテープアンローディングモードに至るモードレバー１０及びブレーキ制御レバー９の動作について図８及び図９を参照して説明する。この動作モードの移行においては、モードレバー１０は、矢印Ｘ２方向にスライド駆動され、第１のボス２２は第２の経路３２を走行する。図８において、（ａ）は停止モードの状態を示している。このとき、第１のボス２２はカム溝２１の停止モード位置Ｄに位置されている。テープアンローディングの処理が開始されると、（ｂ）に示されるように、モードレバー１０が矢印Ｘ２方向にスライド移動され、第１のボス２２が第２の経路３２に進入すると共に、第２のボス２５は斜面部５０を通過する。このとき、ボス２５が斜面部５０に押圧されることに伴って、図９（図８（ｂ）におけるＳ−Ｓ線断面図）に示されるように、樹脂ばね部２６がモードレバー１０から離れる方向に撓み、第２のボス２５がモードレバー１０から退避される。この後、さらにモードレバー１０が矢印Ｘ２方向に移動されると、第２のボス２５はガイド壁５１を乗り越える。これにより、第１の経路３１に第１のボス２２が逆行できない直交ガイド区間３４を設けた場合であっても、第１のボス２２が第２の経路３２を辿って初期位置Ａに復帰可能となる。
【００２８】
　以上のようにビデオカセットレコーダ１によれば、モードレバー１０のカム溝２１は、ビデオカセットレコーダ１の動作モードが停止モードからテープアンローディングモードに切り替えられた後に、ブレーキ制御レバー９が引っ張りコイルばね２３に付勢されることにより第１のボス２２が第２の経路３２に進入すると共に、第２のボス２５が斜面部５０を通過する際に樹脂ばね部２６が弾性変形することによりガイド壁５１を乗り越えて通過するので、第１のボス２２を第２の経路３２を経由してテープアンローディングモード位置Ｅに復帰させることができる。これにより、第１の経路３１にモードレバー１０のスライド方向Ｘに略直交する直交ガイド区間３４を設けることが可能となり、ＦＦ／ＲＥＷモードから停止モードへの移行をすばやく行い、もって各リール台３，４を瞬時に制動することができるようになる。また、ビデオカセットレコーダ１の動作モードがテープローディングモードからＦＦ／ＲＥＷモードに切り替えられた後に第１のボス２２が第１の分岐点Ｊに到達したとき、第２のボス２５がガイド壁５１にガイドされ、第１のボス２２の第２の経路３２への進入が規制されるので、円滑にＦＦ／ＲＥＷモードに移行することができる。
【００２９】
　なお、本考案は上記実施形態の構成に限られることなく種々の変形が可能であり、例えば、第１の経路３１及び第２の経路３２は、上述した動作モード以外の任意の動作モードの切り替えにも適用することができる。また、第１の分岐点Ｊ及び第２の分岐点Ｋもカム溝２１の軌道上の任意の位置に設定することができる。また、ブレーキ制御レバー９は、合成樹脂によって成るものに限られることなく、例えば、プレス加工された金属板によって成るものであっても構わない。
【図面の簡単な説明】
【００３０】
【図１】本考案の一実施形態によるビデオカセットレコーダの上側の構成を示す正面図。
【図２】同レコーダの下側の構成を示す背面図。
【図３】同レコーダのブレーキ機構の主要部の構成を示す部分拡大図。
【図４】同レコーダに適用されるモードレバーとブレーキ制御レバーを示す部分拡大図。
【図５】（ａ）乃至（ｃ）は、同レコーダのテープカセット装填前からＦＦ／ＲＥＷモードに至るモードレバー及びブレーキ制御レバーの動作状態を示す図。
【図６】図５（ｃ）におけるＳ−Ｓ線断面図。
【図７】（ｄ）及び（ｅ）は、同レコーダの図５（ｃ）に続く動作状態を示す図。
【図８】（ａ）及び（ｂ）は、同レコーダの停止モードからテープアンローディングモードに至るモードレバー及びブレーキ制御レバーの動作状態を示す図。
【図９】図８（ｂ）におけるＳ−Ｓ線断面図。
【符号の説明】
【００３１】
　１　　ビデオカセットレコーダ
　３　　供給側リール台
　４　　巻取り側リール台
　７　　供給側ブレーキレバー
　８　　巻取り側ブレーキレバー
　９　　ブレーキ制御レバー
　１０　　モードレバー
　２１　　カム溝
　２２　　第１のボス
　２３　　引っ張りコイルばね（付勢手段）　　
　２５　　第２のボス
　２６　　樹脂ばね部
　３１　　第１の経路
　３２　　第２の経路
　３４　　直交ガイド区間
　５０　　斜面部
　５１　　ガイド壁
　Ｃ　　シャーシ
　Ｊ　　第１の分岐点
　Ｋ　　第２の分岐点
【図１】
0003099950.tif 000003
【図２】
0003099950.tif 000004
【図３】
0003099950.tif 000005
【図４】
0003099950.tif 000006
【図５】
0003099950.tif 000007
【図６】
0003099950.tif 000008
【図７】
0003099950.tif 000009
【図８】
0003099950.tif 000010
【図９】
0003099950.tif 000011